(57)【要約】【課題】光ディスクの再生によって生じるデータを確実に保存することができる光ディスク装置を提供することである。【解決手段】光ディスクに格納されていないデータであって、光ディスクの再生によって生じるデータを外部記憶装置１２へ保存する光ディスク装置１０において、前記データを保存するときに外部記憶装置１２の空き容量が足りない場合、内部記憶装置であるＨＤＤ又はメモリ２３へ一時保存し、光ディスクの再生が終了したときに前記データを外部記憶装置１２へ移動させる構成とする。【選択図】図１
2012033215.tif 000002
【特許請求の範囲】
【請求項１】
光ディスクに格納されていないデータであって、光ディスクの再生によって生じるデータを外部記憶装置へ保存する光ディスク装置において、
前記データを保存するときに前記外部記憶装置の空き容量が足りない場合、内部記憶装置へ一時保存することを特徴とする光ディスク装置。
【請求項２】
前記内部記憶装置に一時保存されたデータがある場合、前記光ディスクの再生が終了したときに該データを前記外部記憶装置へ移動させることを特徴とする請求項１記載の光ディスク装置。
【請求項３】
前記移動させる前に、移動させるかどうかの選択を促すことを特徴とする請求項２記載の光ディスク装置。
【請求項４】
前記データはＢＤ−Ｊ（Blu-ray Disc Java(登録商標)）に対応したデータであることを特徴とする請求項１〜３の何れかに記載の光ディスク装置。
【発明の詳細な説明】
【技術分野】
【０００１】
本発明は、データを外部記憶装置へ保存する光ディスク装置に関する。
【背景技術】
【０００２】
光ディスク装置としてＣＤ、ＤＶＤ、ＢＤ（Blu-ray Disc）などを記録媒体とする再生機や記録再生機などが普及している。そして、最近のＢＤ再生又は記録再生機は対話型のコンテンツのための基盤であるＢＤ−Ｊ（Blu-ray Disc Java(登録商標)）をサポートしている。
【０００３】
ＢＤ−Ｊを使ったＢＤの特典コンテンツによれば、インターネットにアクセスして映画の最新の予告編をダウンロードしたり、ピクチャインピクチャ機能やローカルストレージにアクセスしたりできる。ローカルストレージへのアクセス機能及びピクチャインピクチャ機能などインターネットへのアクセスを除いた機能をＢｏｎｕｓ  Ｖｉｅｗと呼び、インターネットアクセスを含めたものをＢＤ−Ｌｉｖｅと呼ぶ。
【０００４】
ダウンロードしたデータはローカルストレージに保存される。しかし、ＳＤカードなどのそれほど容量の大きくない外部記憶装置へダウンロードしたデータを保存する仕様になっている場合、その外部記憶装置の空き容量が足りないとデータを保存できないという問題がある。データの保存方法に関しては様々な技術が提案されている。
【０００５】
例えば特許文献１には、データを一時記憶するメモリを備えた光ディスク装置で、データがメモリの容量を超過する場合、メモリカード等の外部記憶装置を接続可能な構成とし、超過データを一旦メモリカードに格納し、その後の空き時間、つまり外部からの書き込み要求が一定時間に亘ってないときに、メモリコントローラやシステムコントローラを制御して光磁気ディスクに記録する光ディスク記録装置が開示されている。
【０００６】
また特許文献２には、電子チケットデータを通信網を介してチケット販売センタのサーバからダウンロードするに際して、本来格納すべきＩＣカード等の格納媒体が携帯電話機本体に実装されていない場合、携帯電話機の内部メモリや、それよりも更に大容量のストレージデバイスへ、暗号化して一時格納し、後に格納媒体が実装されたときに、電子チケットデータを内部メモリやストレージデバイスから読み出し復号化して、格納媒体へ格納するデータ処理端末が開示されている。
【０００７】
また特許文献３には、オーディオ機器の制御部が、データサーバからダウンロードしようとする楽曲データが、指定されたダウンロード先に記録可能であるかを判別し、ダウンロード先に十分な空き容量がなく記録可能でないと判別すると、ダウンロード先に記録されている楽曲データの消去候補を表示部に一覧表示し、操作部を介して、利用者から選択された楽曲データをデータサーバにアップロードし、又は、そのまま消去する構成が開示されている。
【先行技術文献】
【特許文献】
【０００８】
【特許文献１】特開平７−２９５７５９号公報
【特許文献２】特開２００５−６３３３３号公報
【特許文献３】特開２００４−１９１５１７号公報
【発明の概要】
【発明が解決しようとする課題】
【０００９】
しかしながら、特許文献１〜３はＢＤ−Ｊのような技術を考慮していないため、光ディスクの特典コンテンツによるローカルストレージへのアクセス機能については記載されていない。したがって、光ディスクの特典コンテンツに関連したデータをダウンロードし、ＳＤカードなどのそれほど容量の大きくない外部記憶装置へ保存する仕様の光ディスク装置では、その外部記憶装置の空き容量が足りないとデータを保存できないという問題は残ったままである。
【００１０】
本発明は、光ディスクの再生によって生じるデータを確実に保存することができる光ディスク装置を提供することを目的とする。
【課題を解決するための手段】
【００１１】
上記目的を達成するために本発明は、光ディスクに格納されていないデータであって、光ディスクの再生によって生じるデータを外部記憶装置へ保存する光ディスク装置において、前記データを保存するときに前記外部記憶装置の空き容量が足りない場合、内部記憶装置へ一時保存することを特徴とする。
【００１２】
上記の光ディスク装置において、前記内部記憶装置に一時保存されたデータがある場合、前記光ディスクの再生が終了したときに該データを前記外部記憶装置へ移動させることが望ましい。
【００１３】
また上記の光ディスク装置において、前記移動させる前に、移動させるかどうかの選択を促すようにしてもよい。
【００１４】
また上記の光ディスク装置において、例えば、前記データはＢＤ−Ｊ（Blu-ray Disc Java(登録商標)）に対応したデータである。
【発明の効果】
【００１５】
本発明によると、光ディスクの再生によって生じるデータを外部記憶装置へ保存するときに外部記憶装置の空き容量が足りない場合、内部記憶装置へ一時保存することにより、データが保存できない事態を防止して確実に保存することができる。さらに、光ディスクの再生が終了したときに該データを外部記憶装置へ移動させることにより、光ディスク装置の電源をオフにしてもデータを維持することができる。
【図面の簡単な説明】
【００１６】
【図１】本発明の光ディスク装置の構成及びその周辺機器を示すブロック図である。
【図２】本発明の光ディスク装置におけるデータ保存に関する動作を示すフローチャートである。
【図３】本発明の光ディスク装置が出力する画面の一例を示す図である。
【発明を実施するための形態】
【００１７】
以下、ＤＶＤ及びＢＤ（Blu-ray Disc）の録画・再生機能を有する光ディスク装置の一例として、デジタルテレビ放送を受信して録画できるハードディスクドライブ（ＨＤＤ）一体型の光ディスク装置を用いて説明する。
【００１８】
図１は、光ディスク装置１０の構成及びその周辺機器を示すブロック図である。光ディスク装置１０には、テレビ等の表示装置１１と、ＳＤカードやＵＳＢメモリ等の外部記憶装置１２と、インターネット等のネットワーク１３とが接続されている。また光ディスク装置１０は、リモコン１４によって操作可能である。以下では、光ディスクとしてＢＤを例に説明する。
【００１９】
光ディスク装置１０は、アンテナ１５で受信したデジタルテレビ放送信号を復調、デジタル化するチューナ１６と、チューナ１６から受け取った映像／音声データをＭＰＥＧ２等に準拠して圧縮符号化したり、ＨＤＤ記録再生部１８又はＢＤ／ＤＶＤ記録再生部１９で再生された圧縮された映像／音声データを伸長復号したりする映像／音声圧縮伸長部１７と、映像／音声圧縮伸長部１７から受け取った圧縮された映像／音声データをＨＤＤに記録したり、ＨＤＤに記録されたデータを再生したりするＨＤＤ記録再生部１８と、映像／音声圧縮伸長部１７から受け取った圧縮された映像／音声データを挿入されたＤＶＤ又はＢＤに記録したり、ＤＶＤ又はＢＤに記録されたデータを再生したりするＢＤ／ＤＶＤ記録再生部１９と、各種設定値を表示装置１１の一部に表示しながら設定できるようにするＯＳＤ（On Screen Display）部２０と、ＯＳＤ部２０からの映像信号をアナログ化し、表示装置１１へ出力する映像出力部２１と、映像／音声圧縮伸長部１７からの音声信号をアナログ化し、表示装置へ出力する音声出力部２２と、ＲＯＭやＲＡＭからなるメモリ２３と、リモコン１４からの信号を受信するリモコン受信部２４と、外部記憶装置１２が接続される端子を有する外部Ｉ／Ｆ２５と、ネットワーク１３との接続を行う通信部２６と、光ディスク装置１０の各部を制御する制御部２７とを備えている。
【００２０】
この光ディスク装置１０はＢＤ−Ｊ（Blu-ray Disc Java(登録商標)）をサポートしており、ＢＤ−Ｌｉｖｅに対応している。ＢＤ−Ｊでは、ＢＤに格納されたゲームのハイスコア等を保存することを想定した不揮発性メモリ領域としてＡＤＡ（Application Data Area）が規定されており、ダウンロードした映画の最新の予告編のデータなどＢＤの内容を見かけ上アップデートするためのデータを保存することを想定した不揮発性メモリ領域としてＢＵＤＡ（Binding Unit Data Area）が規定されている。
【００２１】
また、制御部２７は、光ディスクに格納されていないデータであって、光ディスクの再生によって生じるデータを外部記憶装置１２へ保存し、このデータを保存するときに外部記憶装置１２の空き容量が足りない場合、内部記憶装置（ＨＤＤやメモリ２３）へ一時保存する制御も行う。以下に、この制御について詳しく説明する。
【００２２】
図２は、光ディスク装置１０におけるデータ保存に関する動作を示すフローチャートである。図２ではＢＤ−Ｊに対応したデータを例に説明するが、他の規格に対応したデータでも同様である。
【００２３】
ＢＤが再生されている状態において、ステップＳ１０で制御部２７はＢＤの再生によって生じるデータがあるか否かを判別する。ここで、再生とは光ディスクからデータを読み出すこと全般を指し、本編や特典コンテンツを出力している場合の他、メニュー画面等を表示している状態も含む。
【００２４】
ステップＳ１０におけるＢＤの再生によって生じるデータとは、ＢＤに格納されていないデータであって、具体的にはＢＤに格納されたゲームを実行して得られたハイスコアのデータやダウンロードした最新の映画の予告編のデータなど新たに発生したデータであって、ＡＤＡ又はＢＵＤＡに保存するように規定されたデータのことであり、ＢＤに元々格納されているデータ（本編の映像・音声データ等）は含まない。
【００２５】
ステップＳ１０においてＢＤの再生によって生じるデータがある場合、ステップＳ１１へ進んで制御部２７はデータの保存先である外部記憶装置１２の空き容量が足りるか否かを判別する。ステップＳ１１において外部記憶装置１２の空き容量（ＡＤＡ又はＢＵＤＡの空き容量）が足りる場合は、ステップＳ１２へ進んでそのデータを外部記憶装置１２へ保存し、本フローを終了する。
【００２６】
一方、ステップＳ１１において外部記憶装置１２の空き容量が足りない場合は、ステップＳ１３へ進んでそのデータを内部記憶装置に一時保存する。内部記憶装置としては、ＨＤＤ又はメモリ２３を予め指定しておけばよい。指定方法としては、ユーザが設定メニューから好みの内部記憶装置を設定できるようにしてもよいし、生産時に予め特定の内部記憶装置を指定しておいてもよい。
【００２７】
なお、ステップＳ１３においては、外部記憶装置１２の空き容量が足りない旨のメッセージを出力して表示装置１１に表示してもよい。これにより、ユーザは外部記憶装置１２の不要なデータを削除したり、新たな外部記憶装置に交換したりして空き容量を増やすことができる。
【００２８】
ステップＳ１３からはステップＳ１４へ進んで制御部２７はＢＤの再生が終了したか否かを判別する。ここでの再生の終了とは光ディスクからデータを読み出していないことを指し、例えば、リモコン１４の停止ボタン、取り出しボタン又はＨＤＤへの切り替えボタンが押下された場合である。
【００２９】
ステップＳ１４においてＢＤの再生が終了したと判別した場合、ステップＳ１５へ進んでステップＳ１３において一時保存したデータを外部記憶装置１２へ移動させるか否かの選択を促す画面を出力し、表示装置１１に表示する。例えば、ゲームのハイスコアのデータの場合であれば、図３に示した画面３０のように、「ゲームのハイスコアを保存しますか？保存する場合は十分な空き容量がある外部記憶装置をセットしてください。」などのメッセージとともに、「はい」、「いいえ」を選択可能に表示すればよい。
【００３０】
ステップＳ１５からはステップＳ１６へ進んで一時保存したデータを外部記憶装置１２へ移動させるか否かを判別する。具体的には、ユーザによりデータの保存が選択されたか（図３で「はい」が選択された場合）、ユーザによりデータを保存しないことが選択されたか（図３で「いいえ」が選択された場合）を判別する。
【００３１】
ステップＳ１６においてユーザによりデータの保存が選択された場合、ステップＳ１７へ進んで内部記憶装置に一時保存したデータを外部記憶装置１２へ移動させる。移動とは、新たな保存先（外部記憶装置１２）に保存して保存元（内部記憶装置）のデータを消去することである。
【００３２】
一方、ステップＳ１６においてユーザによりデータを保存しないことが選択された場合、ステップＳ１８へ進んで内部記憶装置に一時保存したデータを消去する。
【００３３】
なお、ステップＳ１５、Ｓ１６、Ｓ１８は必ずしも必要ではなく、ステップＳ１４においてＢＤの再生が終了した場合にステップＳ１７へ進んで強制的に内部記憶装置に一時保存したデータを外部記憶装置１２へ移動させるようにしてもよい。この場合、内部記憶装置に一時保存した時点（ステップＳ１３）で、再生終了までに外部記憶装置１２の空き容量の確保を促すメッセージを出力して表示装置１１に表示することが望ましい。
【産業上の利用可能性】
【００３４】
本発明は、ＤＶＤプレーヤ、ＤＶＤレコーダ、ＢＤ／ＤＶＤプレーヤ、ＢＤ／ＤＶＤレコーダ、ＨＤＤ一体型ＤＶＤレコーダ、ＨＤＤ一体型ＢＤ／ＤＶＤレコーダ、ＤＶＤ一体型テレビ、ＢＤ／ＤＶＤ一体型テレビなど、外部記憶装置を接続可能な光ディスク装置に利用することができる。
【符号の説明】
【００３５】
１０  光ディスク装置
１１  表示装置
１２  外部記憶装置
１３  ネットワーク
１４  リモコン
１５  アンテナ
１６  チューナ
１７  映像／音声圧縮伸長部
１８  ＨＤＤ記録再生部
１９  ＢＤ／ＤＶＤ記録再生部
２０  ＯＳＤ部
２１  映像出力部
２２  音声出力部
２３  メモリ
２４  リモコン受信部
２５  外部Ｉ／Ｆ
２６  通信部
２７  制御部
【図１】
2012033215.tif 000003
【図２】
2012033215.tif 000004
【図３】
2012033215.tif 000005